(57)【要約】【課題】蒸気を収容可能な容積を大きくでき、ヒケを生じさせることなくケースを成形可能とする。【解決手段】炊飯鍋１０を収容する炊飯器本体１１と、炊飯鍋１０の開口部を閉塞する蓋体２５と、蓋体２５内に設けられ炊飯鍋１０内と外部とを連通する排気通路と、蓋体２５における排気通路の出口部分に着脱可能に配設した蒸気口ユニット７９とを備えた炊飯器において、蒸気口ユニット７９は、排気通路に接続される接続部８１を備えた受け皿状の下ケース８０と、下ケース８０に取り付けられる上ケース８５と、これらケース８０，８５間をシールする蒸気口パッキン９１とを備え、上ケース８５は、排気口８７を有する上端閉塞面８５ａが蓋体２５の表面形状と一致する曲面形状をなし、蒸気口パッキン９１は、その上端が上ケース８５の上端閉塞面８５ａに沿う形状をなし、下ケース８０に圧接する下端までの厚さＴが不均一な形状をなすように一体成形する。【選択図】図１
2006320489.tif 000002
【特許請求の範囲】
【請求項１】
炊飯鍋を収容する炊飯器本体と、
該炊飯器本体に開閉可能に取り付けられ前記炊飯鍋の開口部を閉塞する蓋体と、
該蓋体内に設けられ前記炊飯鍋内と外部とを連通する排気通路と、
前記蓋体における前記排気通路の出口部分に着脱可能に配設した蒸気口ユニットとを備えた炊飯器において、
前記蒸気口ユニットは、前記排気通路に接続される接続部を備えた受け皿状の下ケースと、該下ケースに取り付けられる上ケースと、これらケース間をシールする蒸気口パッキンとを備え、
前記上ケースは、排気口を有する上端閉塞面が前記蓋体の表面形状と一致する曲面形状をなし、
前記蒸気口パッキンは、その上端が前記上ケースの上端閉塞面に沿う形状をなし、前記下ケースに圧接する下端までの厚さが不均一な形状をなすように一体成形されていることを特徴とする炊飯器。
【請求項２】
前記蒸気口パッキンは、射出成形により形成されることを特徴とする請求項１に記載の炊飯器。
【請求項３】
前記上ケースの上端閉塞面は、肉厚が略均一であることを特徴とする請求項１または請求項２に記載の炊飯器。
【請求項４】
前記上ケースに、前記蒸気口パッキンを配設する一対の壁からなる収容部が形成されていることを特徴とする請求項１乃至請求項３のいずれか１項に記載の炊飯器。
【請求項５】
前記蒸気口パッキンを含む前記上ケースおよび下ケースの係合端は平面状をなすことを特徴とする請求項１乃至請求項４のいずれか１項に記載の炊飯器。
【発明の詳細な説明】
【技術分野】
【０００１】
本発明は、炊飯器に関するものである。
【背景技術】
【０００２】
従来、炊飯器は、炊飯鍋を収容する炊飯器本体と、前記炊飯器本体に開閉可能に取り付けられた蓋体とを備え、前記炊飯器本体内部に配設した加熱手段によって前記炊飯鍋を加熱することにより、炊飯鍋内にセットした飯米を炊飯するものである。前記蓋体には、炊飯鍋内で発生した蒸気を排気する排気通路が形成され、この排気通路の出口部分には、排出される蒸気を低温化する蒸気口ユニットが設けられている。
【０００３】
本発明の炊飯器に関連する先行技術文献情報としては次のものがある。
【０００４】
【特許文献１】特開２００４−５７６８７号公報
【０００５】
この特許文献１には、蓋体の排気通路に接続される接続部を備えた受け皿状の下ケースと、該下ケースに着脱可能に取り付けられる上ケースとを備えた蒸気口ユニットを、前記蓋体に対して着脱可能に配設した炊飯器が記載されている。前記下ケースと上ケースとの間には、蒸気の漏出を防止するための蒸気口パッキンが配設されている。
【０００６】
しかしながら、前記蒸気口パッキンは、上ケースに圧接される上端から下ケースに圧接される下端までの厚さが均一な押し出し成形による円環状部材からなるため、ケースの収容部において、そのコーナー部分の曲率を小さくした場合にはパッキンが屈曲し、シール性能を低下させるという問題がある。そのため、蒸気口パッキンの収容部は、そのコーナー部分の曲率を大きくする必要があり、この場合には蒸気を収容可能な容積が小さくなるという不都合がある。
【０００７】
また、上ケースの上端閉塞面は、蓋体への装着状態での美観を高めるために、該蓋体の表面形状と一致する曲面形状とする必要がある。さらに、上ケースと下ケースとの係合端は、これらの組付誤差を考慮すると平面状にする必要がある。そうすると、前記蒸気口パッキンの収容部を形成するケースは、各部位での肉厚が不均一になり、射出成形により形成した場合にはヒケが生じて外観を損ねるという問題がある。なお、この種の電気製品は、外観が最も重要であるため、ヒケが生じる場合には、別部品からなる化粧板を更に設ける必要がある。
【発明の開示】
【発明が解決しようとする課題】
【０００８】
本発明は、従来の問題に鑑みてなされたもので、蒸気を収容可能な容積を大きくでき、ヒケを生じさせることなくケースを成形可能な蒸気口ユニットを搭載した炊飯器を提供することを課題とするものである。
【課題を解決するための手段】
【０００９】
前記課題を解決するため、本発明の炊飯器は、炊飯鍋を収容する炊飯器本体と、該炊飯器本体に開閉可能に取り付けられ前記炊飯鍋の開口部を閉塞する蓋体と、該蓋体内に設けられ前記炊飯鍋内と外部とを連通する排気通路と、前記蓋体における前記排気通路の出口部分に着脱可能に配設した蒸気口ユニットとを備えた炊飯器において、前記蒸気口ユニットは、前記排気通路に接続される接続部を備えた受け皿状の下ケースと、該下ケースに取り付けられる上ケースと、これらケース間をシールする蒸気口パッキンとを備え、前記上ケースは、排気口を有する上端閉塞面が前記蓋体の表面形状と一致する曲面形状をなし、前記蒸気口パッキンは、その上端が前記上ケースの上端閉塞面に沿う形状をなし、前記下ケースに圧接する下端までの厚さが不均一な形状をなすように一体成形した構成としている。
具体的には、前記蒸気口パッキンは、射出成形により形成される。
【００１０】
この炊飯器では、蒸気口パッキンは、その上端が前記上ケースの上端閉塞面に沿う形状をなし、前記下ケースに圧接する下端までの厚さが不均一な形状をなすように一体形成されている。即ち、この蒸気口パッキンは、押し出し成形を除く製法により、予め設定された所定形状に成形される。そのため、このように形成した蒸気口パッキンは、ケースに形成する収容部のコーナー部分の曲率が小さくても、その形状に沿って収容可能である。その結果、蒸気口ユニットに形成される蒸気の収容空間の容積を大きくすることができる。
【００１１】
この炊飯器では、前記上ケースの上端閉塞面は、肉厚が略均一であることが好ましい。
また、前記上ケースに、前記蒸気口パッキンを配設する一対の壁からなる収容部が形成されていることが好ましい。
このようにすれば、上ケースの製造時にヒケが生じることを防止でき、外観を損ねることを防止できる。その結果、別部品からなる化粧板を設ける必要はなく、コストダウンを図ることができる。
【００１２】
さらに、前記蒸気口パッキンを含む前記上ケースおよび下ケースの係合端は平面状をなすことが好ましい。このようにすれば、上ケースと下ケースの組付誤差に伴うシール性能の低下を防止できる。
【発明の効果】
【００１３】
本発明の炊飯器では、この蒸気口パッキンが押し出し成形を除く製法により、予め設定された所定形状に成形されるため、ケースに形成する収容部のコーナー部分の曲率が小さくても、その形状に沿って収容可能である。その結果、蒸気口ユニットに形成される蒸気の収容空間の容積を大きくすることができる。
【００１４】
また、上ケースの上端閉塞面は、その肉厚が略均一であるため、製造時にヒケが生じることにより外観を損ねることを防止できる。その結果、別部品からなる化粧板を設ける必要はなく、コストダウンを図ることができる。
【発明を実施するための最良の形態】
【００１５】
以下、本発明の実施の形態を図面に従って説明する。
【００１６】
図１および図２は、本発明の実施形態に係る圧力炊飯器を示す。この圧力炊飯器は、電磁誘導加熱される炊飯鍋１０を着脱可能に収容する炊飯器本体１１と、該炊飯器本体１１に回動可能に取り付けた蓋体２５とからなり、この蓋体２５には内蓋５６と蒸気口ユニット７９とが着脱可能に取り付けられるものである。
【００１７】
前記炊飯器本体１１は、筒形状をなす胴体１２と、該胴体１２の下端開口を閉塞する底体１３と、前記胴体１２の上端開口を覆うように取り付ける肩体１４とからなる外装体を備えている。この肩体１４は、その中央部に炊飯鍋１０を着脱可能に配置するための円形状の開口部を備え、この開口部の下部に、筒状をなす内胴１５と、非導電性材料からなる保護枠１６とが配設されている。この保護枠１６の下部外周面には、炊飯鍋１０を誘導加熱する誘導加熱コイル１７がフェライトコア１８を介して配設されている。また、炊飯鍋１０の温度を検出するための炊飯鍋用温度センサ１９が保護枠１６を貫通して配設されている。さらに、前記肩体１４には、背面側に蓋体２５を開閉可能に取り付けるためのヒンジ受部２０が設けられ、正面側に蓋体２５のロック部を係止するロック穴２１が設けられている。さらにまた、肩体１４の正面上側には、操作基板２２と、メニューシート２３と、表面部材２４とからなる操作部が設けられている。
【００１８】
前記蓋体２５は、肩体１４のヒンジ受部２０に開閉可能に取り付けられ、炊飯器本体１１の開口部を閉塞するもので、炊飯器本体１１の外装体と共に外表面材を構成する上板２６と、該上板２６の底を閉塞する下板３１と、該下板３１の下面に着脱可能に装着される内蓋５６とを備えている。そして、この蓋体２５の内部には炊飯鍋１０内と外部とを連通する第１および第２の排気通路が設けられ、それぞれに炊飯鍋１０内を大気圧以上に段階的に昇圧するための第１および第２の調圧弁６２，６９が設けられている。また、各排気通路は、その排気（大気）側で１つに合流しており、その出口部分に蒸気口ユニット７９が着脱可能に配設されている。
【００１９】
前記上板２６には、その前部に蓋体２５を開放操作するための操作部材２７を回動可能に装着する装着孔２８が設けられている。また、上板２６の背部には、蒸気口ユニット７９を配置するための凹部２９が設けられ、その中央部に接続口３０が開口されている。
【００２０】
図１から図３に示すように、下板３１は、前記肩体１４の上側の凹状の窪み形状と対応する形状をなす。この下板３１の背部には、肩体１４のヒンジ受部２０に貫通される軸３２と、蓋体２５を開放方向に付勢するためのヒンジスプリング３３とを備えたヒンジ接続部３４が設けられている。また、下板３１の前部には、肩体１４のロック穴２１にアンロック可能にロックするロック部材３５が回動可能に取り付けられている。さらに、下板３１の底には、金属製のヒータカバー３６を介して蓋ヒータ３７が配設されるとともに、図示しない蓋用温度センサが配設されている。ヒータカバー３６の外周部には、内蓋５６との間を気密にシールするためのパッキン３８が配設されている。さらに、下板３１の上側には、炊飯時の熱および圧力によって変形するのを防止するために、金属製の補強部材３９が配設されている。
【００２１】
そして、本実施形態の下板３１には、後述する内蓋５６に設けられた第１および第２の調圧弁６２，６９を幅方向に隣接させて収容する第１および第２の収容部４０，４４と、各調圧弁６２，６９の駆動手段である第１および第２のソレノイド４８，５０と、第１および第２排気通路が合流する共通排気部５３とがそれぞれ設けられている。
【００２２】
前記第１収容部４０は、図１および図３に示すように、第１排気通路の一部を構成するもので、後述する第１調圧弁６２を収容する下端開口のドーム形状のものである。この第１収容部４０の側壁前部には第１駆動用開口部４１が設けられ、この第１駆動用開口部４１にパッキン４２が配設されている。また、前記ヒータカバー３６において、この第１収容部４０の下端開口と対応する位置は同様に開口され、これらの間がパッキン４３によってシールされている。
【００２３】
前記第２収容部４４は、図２および図３に示すように、第２排気通路の一部を構成するもので、後述する第２調圧弁６９を収容する上下端開口の筒状のものである。この第２収容部４４の上端は第２駆動用開口部４５であり、この第２駆動用開口部４５にパッキン４６が配設されている。また、前記ヒータカバー３６において、この第２収容部４４の下端開口と対応する位置は同様に開口され、これらの間がパッキン４７によってシールされている。
【００２４】
第１駆動手段である第１ソレノイド４８には、通電の有無により進退するロッドの先端に、パッキン４２を介して球状部材６８を押圧する第１押圧部材４９が配設されている。そして、動作状態では通電（オン）によりロッドを後退させ、パッキン４２を介して第１調圧弁６２の球状部材６８を自重で転動させて加圧（閉）状態とする一方、非動作状態では遮断（オフ）によりロッドを進出させ、球状部材６８を転動させて非加圧（開）状態とするものである。
【００２５】
第２駆動手段である第２ソレノイド５０には、通電の有無により進退するロッドの先端に第２押圧部材５１が配設されている。そして、通電（オン）によりロッドを後退させ、パッキン４６および垂直押圧部材５２を介して第２調圧弁６９のスプリング受部材７８を下降させて高加圧状態とする一方、遮断（オフ）によりロッドを進出させ、スプリング受部材７８を上昇させて低加圧状態とするものである。
【００２６】
前記共通排気部５３は、上板２６の接続口３０と対応する位置に設けた上下端開口の筒状のものである。この共通排気部５３の上端開口部には、上板２６との間をシールするとともに、後述する蒸気口ユニット７９の接続部８１との間をシールするパッキン５４が配設されている。また、前記ヒータカバー３６において、この共通排気部５３の下端開口と対応する位置は同様に開口され、これらの間がパッキン５５によってシールされている。
【００２７】
前記内蓋５６は、図４に示すように、金属製の内蓋本体５７と、蓋パッキン６０と、樹脂枠６１とを備え、前記内蓋本体５７に第１調圧弁６２と第２調圧弁６９とを一体的に取り付けたものである。
【００２８】
前記内蓋本体５７は、放熱板の役割をなすもので、各収容部４０，４４と対応する位置には炊飯鍋１０内と連通する第１開口部５８および第２開口部５９が設けられている。前記蓋パッキン６０は、炊飯鍋１０の開口内周部に密着してシールするものである。前記樹脂枠６１は、内蓋本体５７の外周部に挟み込むことによって、蓋パッキン６０を内蓋本体５７との間に離脱不可能に装着するものである。
【００２９】
前記第１調圧弁６２は、図１および図５（Ａ）に示すように、第１弁座部材６３と、該第１弁座部材６３を覆う第１カバー６５と、これらの内部に収容する第１弁体である球状部材６８とからなり、内蓋５６の装着により前記第１収容部４０内に収容されるものである。
【００３０】
前記第１弁座部材６３は、下端開口で上端を閉塞した台形筒状をなし、その上端閉塞面中央には、炊飯鍋１０内の蒸気を排気する第１通気孔６４が設けられている。前記第１カバー６５は、後述する球状部材６８および第１弁座部材６３を覆うもので、その前部にはパッキン４２を介して第１ソレノイド４８の第１押圧部材４９を進退可能に挿通する挿通孔６６が設けられている。また、第１カバー６５の上部には、周方向に所定間隔をもって排気孔６７が設けられている。前記球状部材６８は、転動により第１通気孔６４を閉塞することにより、炊飯鍋１０内の圧力を1.20から1.25ａｔｍに昇圧するためのものである。
【００３１】
前記第２調圧弁６９は、図２および図５（Ｂ）に示すように、第２弁座部材７０と、第２カバー７２と、これらの内部に収容する第２弁体である被付勢部材７５と、スプリング受部材７８とからなり、内蓋５６の装着により前記第２収容部４４内に収容されるものである。
【００３２】
前記第２弁座部材７０は、上端開口で下端を閉塞した筒状をなし、その下端閉塞面には第２通気孔７１が設けられている。前記第２カバー７２は、後述する被付勢部材７５およびスプリング受部材７８を収容した状態で第２弁座部材７０を覆うもので、その上壁部に上端排気孔７３が設けられるとともに、側壁部に設けた側部排気孔７４とが形成されている。前記被付勢部材７５は、付勢手段であるスプリング７６によって下向きに付勢されるもので、その下端には弁パッキン７７が配設されている。この弁パッキン７７は、下端に向けて先細に突出する略円錐形状のもので、その円錐部が第２通気孔７１の内部に嵌り込むことにより閉塞するものである。前記スプリング受部材７８は、スプリング７６の上端を位置決めして被付勢部材７５を下向きに付勢するためのもので、第２ソレノイド５０が駆動（動作）することにより、パッキン４６および垂直押圧部材５２を介して下向きに移動されることにより、被付勢部材７５によって第２通気孔７１を閉塞する付勢力を変更するものである。
【００３３】
本発明の蒸気口ユニット７９は、図６に示すように、受け皿状の下ケース８０と、該下ケース８０に着脱可能に取り付けられる上ケース８５と、これらケース間をシールする蒸気口パッキン９１とを備え、前記共通排気部５３にパッキン５４を介して着脱可能に接続されるものである。
【００３４】
前記下ケース８０は、図７（Ａ），（Ｂ）に示すように、略水平に延びる底壁８０ａの外周縁から垂直に延びる側壁８０ｂを立設したもので、その略中央部には共通排気部５３に接続するための接続部８１が設けられている。ここで、後述する上ケース８５および蒸気口パッキン９１との係合端である側壁８０ｂの上端は、前方より後方に向けて下向きに傾斜しているが、何ら凹凸はなく、直線的に延びる平面状をなすように構成されている。前記接続部８１は、下端開口で上端を閉塞した筒状のもので、前記底壁８０ａに対して上下にそれぞれ突出するように設けられている。そして、この接続部８１における底壁８０ａより上側に、下ケース８０内に連通する連通孔８２が設けられている。また、前記側壁８０ｂの前側には、略逆Ｊ字形状に突出する弾性片８３ａと係止爪部８３ｂとからなる係止部８３が設けられている。さらに、側壁８０ｂの後側には、回動可能に軸着するための軸部８４ａを備えた軸着部８４が設けられている。
【００３５】
前記上ケース８５は、図８（Ａ），（Ｂ）に示すように、前記蓋体２５の表面形状と一致するように、上板２６と一体的な曲面形状をなす上端閉塞面８５ａを有するものである。この上端閉塞面８５ａの肉厚は、全体にかけて略均一に形成することにより、ヒケが生じて外観を損ねることを防止している。また、この上ケース８５には、後述する蒸気口パッキン９１を配置するための一対の壁８６ａ，８６ｂからなるパッキン収容部８６が設けられている。このパッキン収容部８６の下端は、前記下ケース８０との係合端となるもので、曲面状とした上端閉塞面８５ａの形状に拘わらず、下ケース８０の側壁８０ｂの上端と一致するように、何ら凹凸のない直線的の延びる平面状をなすように構成されている。言い換えれば、上端閉塞面８５ａからの突出寸法は各部位で異なり、パッキン収容部８６の深さが上端閉塞面８５ａの形状に従って変化するように形成されている。また、上ケース８５には、前記パッキン収容部８６の内部前方に位置するように排気口８７が設けられている。さらに、組付状態で下ケース８０の接続部８１と前記排気口８７との間に位置するように、パッキン収容部８６内の幅方向にかけて下向きに延びる隔壁部８８が設けられている。これにより、接続部８１から流入した蒸気が直接的に排気口８７から排気されるのを防止し、迂回した排気により冷却を図るとともに、蒸気に含まれた米の旨み成分を有する粘り成分（おねば）を分離して外部に放出されるのを防止する構成としている。また、上ケース８５には、前側に下ケース８０の係止部８３を係止する係止受部８９が設けられるとともに、後側に軸部８４ａを軸着する軸受部９０が設けられている。
【００３６】
前記蒸気口パッキン９１は、図９（Ａ），（Ｂ）に示すように、上ケース８５のパッキン収容部８６と一致するように、射出成形により断面略Ｕ字形状に形成したものである。即ち、この蒸気口パッキン９１は、開口されたその上端９１ａが上ケース８５の上端閉塞面８５ａに沿う形状をなし、下ケース８０に圧接される閉塞された下端９１ｂが何ら凹凸のない直線的の延びる平面状をなすように、厚さＴを不均一として一体成形されている。
【００３７】
なお、図１に示すように、前記蒸気口ユニット７９を搭載した蓋体２５は、第１通気孔６４を有する第１台座部材内、排気孔６７を有する第１カバー６５内、第１カバー６５と第１収容部４０との隙間から、内蓋本体５７とヒータカバー３６との隙間、共通排気部５３内、および、排気口８７を有する蒸気口ユニット７９内を経た経路が、炊飯鍋１０内と外部とを連通させる第１排気通路を構成する。
【００３８】
また、図２に示すように、第２通気孔７１を有する第２弁座部材７０内、上端排気口７３および側部排気口７４を有する第２カバー７２内、第２カバー７２と第２収容部４４との隙間から、内蓋本体５７とヒータカバー３６との隙間、共通排気部５３内、および、排気口８７を有する蒸気口ユニット７９内を経た経路が、炊飯鍋１０内と外部とを連通させる第２排気通路を構成する。
【００３９】
このように、炊飯器に搭載する本発明の蒸気口パッキン９１は、射出成形により、その上端が前記上ケース８５の上端閉塞面８５ａに沿う形状をなし、前記下ケース８０に圧接される下端までの厚さＴが不均一な形状をなすように一体形成されている。そのため、このように形成した蒸気口パッキン９１は、上ケース８５に形成するパッキン収容部８６のコーナー部分の曲率が小さくても、その形状に沿って収容可能である。その結果、蒸気口ユニット７９に形成される蒸気の収容空間の容積を大きくすることができる。
【００４０】
また、蓋体２５の表面に一体化される上ケース８５の上端閉塞面８５ａは、その肉厚を略均一に形成することができるため、射出成形による製造時にヒケが生じることを防止できる。その結果、外観を損ねることを防止でき、別部品からなる化粧板を設ける必要がないため、コストダウンを図ることができる。
【００４１】
さらに、前記蒸気口パッキン９１を含む前記上ケース８５および下ケース８０の係合端を確実に平面状をなすように設計できるため、洗浄性を考慮して着脱可能とした上ケース８５と下ケース８０との組付誤差に伴うシール性能の低下を防止できる。
【００４２】
なお、本発明の炊飯器は、前記実施形態の構成に限定されるものではなく、種々の変更が可能である。
【００４３】
例えば、前記実施形態では、蒸気口パッキン９１を断面略Ｕ字形状に形成したが、断面横Ｕ字形状や断面横Ｈ字形状に形成してもよく、その断面形状は希望に応じて変更が可能である。言い換えれば、蒸気口パッキン９１は、押し出し成形を除く製法により製造するため、その外形は勿論、その断面形状をも希望に応じて変更が可能である。また、前記実施形態では、蒸気口パッキン９１を配置するパッキン収容部８６を上ケース８５に形成したが、下ケース８０に形成してもよい。
【００４４】
さらに、前記実施形態では、下ケース８０と上ケース８５とを着脱可能に取り付ける構成としたが、ケース８０，８５は、ヒンジ接続により開閉可能で着脱不可能な構成としてもよい。
【００４５】
さらに、前記実施形態では、本発明の蒸気口ユニット７９を、炊飯鍋１０の内部を昇圧可能とした圧力炊飯器に適用したが、排気通路に調圧弁６２，６９を搭載していない炊飯器でも適用可能であり、同様の作用および効果を得ることができる。
【図面の簡単な説明】
【００４６】
【図１】本発明の実施形態に係る圧力炊飯器を示す部分断面図である。
【図２】他の部分を切断した状態を示す部分断面図である。
【図３】上板を外した蓋体を示す斜視図である。
【図４】内蓋の上方斜視図である。
【図５】（Ａ）は第１調圧弁を示す拡大断面図、（Ｂ）は第２調圧弁を示す拡大断面図である。
【図６】蒸気口ユニットを示す拡大断面図である。
【図７】蒸気口ユニットを構成する下ケースを示し、（Ａ）は断面図、（Ｂ）は平面図である。
【図８】蒸気口ユニットを構成する上ケースを示し、（Ａ）は断面図、（Ｂ）は底面図である。
【図９】蒸気口ユニットを構成する蒸気口パッキンを示し、（Ａ）は平面図、（Ｂ）は斜視図である。
【符号の説明】
【００４７】
１０…炊飯鍋
１１…炊飯器本体
１７…誘導加熱コイル（加熱手段）
２５…蓋体
２６…上板
２９…凹部
３０…接続口
３１…下板
３６…ヒータカバー
４０…第１収容部
４４…第２収容部
５３…共通排気部
５６…内蓋
５８…第１開口部
５９…第２開口部
６０…蓋パッキン
６２…第１調圧弁
６４…第１通気孔
６８…球状部材（弁体）
６９…第２調圧弁
７１…第２通気孔
７５…被付勢部材（弁体）
７７…弁パッキン
７９…蒸気口ユニット
８０…下ケース
８１…接続部
８５…上ケース
８５ａ…上端閉塞面
８６…パッキン収容部
８６ａ，８６ｂ…壁
８７…排気口
９１…蒸気口パッキン
９１ａ…上端
９１ｂ…下端
【図１】
2006320489.tif 000003
【図２】
2006320489.tif 000004
【図３】
2006320489.tif 000005
【図４】
2006320489.tif 000006
【図５】
2006320489.tif 000007
【図６】
2006320489.tif 000008
【図７】
2006320489.tif 000009
【図８】
2006320489.tif 000010
【図９】
2006320489.tif 000011